(57)【要約】本発明は、ＩＥＥＥ８０２．１１ａプロトコルとＥＴＳＩ　ＢＲＡＮ　ＨｉｐｅｒＬＡＮ／２プロトコルの組み合わせに基づいた無線ＬＡＮにおける組み合わせられて調和されたプロトコールを定義する。新規なＡＰを増幅するＨｉｐｅｒＬＡＮ／２−スタンダード（Ｈ／２ｅＡＰ）はハイブリッドコーディネーターとして作動し、その標準のＨｉｐｅｒＬＡＮ／２操作に加えて、さらに８０２．１１ａのポイントコーディネーターとして作動し、若しくは８０２．１１の協働するポイントコーディネーターによりサポートされる。Ｈ／２ｅＡＰは、ＣｆｐＤｕｒ残存パラメーターを（複数の）２ｍｓに設定することを伴うＨ／２標的ビーコン伝達時間（Ｈ／２ＴＢＴＴ）においてコーポレートビーコンを送る。８０２．１１ａＢＳＳのステーションによるこのビーコンを受けることにおいて、ステーションは外部のビーコンとして認識し、ＣｆｐＤｕｒ残存パラメーターを抽出及び評価し、このように、それぞれの時間において任意のデータ伝達を開始しない適切な期間にタイマーを設定する。このビーコンが伝達された後で、Ｈ／２ｅＡＰは、隣接の８０２．１１ａシステムからの干渉を受けないで及び開始のＨ／２コーポレートビーコンの遅延を受けないでＨ／２ＭＡＣフレームの伝達を開始可能である。Ｈ／２ＭＡＣフレームは、コンテンションフリーピリオド（ＣＦＰ）直後の８０２．１１コンテンションピリオド（ＣＰ）に埋め込まれるだろう。Ｈ／２ＭＡＣフレーム以前のＣＰは、Ｈ／２ｅＡＰ若しくは協働するＰＣの何れかにより制御されるため、Ｈ／２協働ビーコン伝達の遅延が存在しないことを保証できる。結果として、Ｈ／２のＱｏＳはサポートされる。結果となる時間のシークエンスは３つの部分に分割可能で、（１）制限されるサービスの質を伴う“８０２．１１ｅＣＦＰ”、（２）サービスの質の完全なサポートを伴う“ＨｉｐｅｒＬＡＮ／２ＭＡＣ”フレーム、及び（３）任意のサービスの質のサポートを伴わない８０２．１１ｅである。すべての３つの部分は、共になって、時間において周期的に繰り返される、いわゆるコーポレートスーパーフレームを形成する。
2004514382.tif 000002
【特許請求の範囲】
【請求項１】
第一ステーションを割り当てられた第一ネットワーク及び第二ステーションを割り当てられた第二ネットワークを含有するシステムであって、それによってハイブリッド−コーディネーターがビーコンを第一パラメーターの設定を伴う標的ビーコン伝達時間で送り、前記第二ステーションにより前記ビーコンを受けることに基づいて、前記第二ステーションが前記第一パラメーターを抽出及び評価し、これによりそれぞれの時間において任意のデータの伝達を開始しない適切な期間にタイマーを設定し、それによって、前記ビーコンが送られた後に、前記ハイブリッド−コーディネーターは前記第二ネットワークからの干渉を受けないで前記第一ネットワークのデータの伝達を開始することが可能であることを特徴とするシステム。
【請求項２】
前記第一ネットワークによるデータの伝達は、前記第二ネットワークのフレームの一つ以上の特定の部分で埋め込まれるであろうことを特徴とする請求項１に記載のシステム。
【請求項３】
前記第一ネットワークによるデータの伝達は、前記第二ネットワークのコンテンションフリーピリオドの直後のコンテンションピリオドで埋め込まれるであろうことを特徴とする請求項１に記載のシステム。
【請求項４】
前記第一ネットワークによるデータの伝達は、前記第二ネットワークのコンテンションフリーピリオドで埋め込まれるであろうことを特徴とする請求項１に記載のシステム。
【請求項５】
第一ステーションを割り当てられた第一ネットワーク及び第二ステーションを割り当てられた第二ネットワークを協働する方法であって、それによってハイブリッド−コーディネーターがビーコンを第一パラメーターの設定を伴う標的ビーコン伝達時間で送り、前記第二ステーションにより前記ビーコンを受けることに基づいて、前記第二ステーションが前記第一パラメーターを抽出及び評価し、これによりそれぞれの時間において任意のデータの伝達を開始しない適切な期間にタイマーを設定し、それによって、前記ビーコンが送られた後に、前記ハイブリッド−コーディネーターは前記第二ネットワークからの干渉を受けないで前記第一ネットワークのデータの伝達を開始することが可能であることを特徴とする方法。
【請求項６】
第一ステーションを割り当てられた第一ネットワーク及び第二ステーションを割り当てられた第二ネットワークを協働するためのハイブリッド−コーディネーターであって、それによって前記ハイブリッド−コーディネーターがビーコンを第一パラメーターの設定を伴う標的ビーコン伝達時間で送り、それによって前記第一パラメーターは特定の時間の期間において任意のデータ伝達を開始しない前記第二ステーションのために示唆からなり、それによって伝達された後に、前記ビーコンの前記ハイブリッドコーディネーターは前記第二ネットワークからの干渉を受けないで前記第一ネットワークのデータの伝達の開始が可能であることを特徴とするハイブリッド−コーディネーター。
【発明の詳細な説明】
【０００１】
本発明は、第一ステーションを割り当てられた第一ネットワーク及び第二ステーションを割り当てられた第二ネットワークを含有するシステムに関する。第一ナットワークは、例えば、ＨｉｐｅｒＬＡＮ／２−スタンダードである第一スタンダードにより操作され、第二ネットワークは、例えばＩＥＥＥ８０２．１１ｅ−スタンダードである第二スタンダードにより操作される。両スタンダードは無線スタンダードであり、５ＧＨｚバンドで活動する。
【０００２】
当該技術によると、第一ネットワーク及び第二ネットワークは、お互いに独立して設計されている。例えば、第二ネットワークの第二ステーションが第一ネットワークの第一ステーションの範囲内である場合、これは干渉を導くであろう。
【０００３】
したがって、本目的の目的は、同じ周波数の範囲内の二つの異なるネットワークの共存を可能にするシステムを提供することである。
【０００４】
本発明は、第一ステーションを割り当てられた第一ネットワーク及び第二ステーションを割り当てられた第二ネットワークを含有するシステムが提供され、それによってハイブリッド−コーディネーターがビーコンを第一パラメーターの設定を伴う標的ビーコン伝達時間で送り、第二ステーションによりこのビーコンを受けることに基づいて、第二ステーションが第一パラメーターを抽出及び評価し、これによりそれぞれの時間において任意のデータの伝達を開始しない適切な期間にタイマーを設定し、それによって、このビーコンが送られた後に、ハイブリッド−コーディネーターは第二ネットワークからの干渉を受けないで第一ネットワークのデータの伝達を開始することが可能であることで達成される。
【０００５】
本発明の要点は、共通のチャンネルの第一及び第二ネットワークのアクセスを調和する、ハイブリッド−コーディネーターを備えるシステムを提供することである。
【０００６】
本発明は、無線ＬＡＮにおける組み合わせられて調和されたプロトコールを定義する。
【０００７】
第一ネットワークがＨｉｐｅｒＬＡＮ／２−スタンダードによるネットワークで、第二ネットワークがＩＥＥＥ８０２．１１ｅ−スタンダードによるネットワークである実施例において、可能な解決策は下記のようである：
ＩＥＥＥ８０２．１１ａ−スタンダードプロトコルとＥＴＳＩ　ＢＲＡＮ　ＨｉｐｅｒＬＡＮ／２−スタンダードプロトコルの組み合わせに基づいて、新規なＡＰを増幅するＨｉｐｅｒＬＡＮ／２−スタンダード（Ｈ／２ｅＡＰ）はハイブリッドコーディネーターとして作動し、その標準のＨｉｐｅｒＬＡＮ／２操作に加えて、さらに８０２．１１ａのポイントコーディネーターとして作動し、若しくは８０２．１１の協働するポイントコーディネーターによりサポートされる。
【０００８】
Ｈ／２ｅＡＰは、ＣｆｐＤｕｒ残存パラメーターを（複数の）２ｍｓに設定することを伴うＨ／２標的ビーコン伝達時間（Ｈ／２ＴＢＴＴ）においてコーポレートビーコンを送る。８０２．１１ａＢＳＳのステーションによるこのビーコンを受けることにおいて、ステーションは外部のビーコンとして認識し、ＣｆｐＤｕｒ残存パラメーターを抽出及び評価し、このように、それぞれの時間において任意のデータ伝達を開始しない適切な期間にタイマーを設定する。このビーコンが伝達された後で、Ｈ／２ｅＡＰは、隣接の８０２．１１ａシステムからの干渉を受けないで及び開始のＨ／２コーポレートビーコンの遅延を受けないでＨ／２ＭＡＣフレームの伝達を開始可能である。Ｈ／２ＭＡＣフレームは、コンテンションフリーピリオド（ＣＦＰ）直後の８０２．１１コンテンションピリオド（ＣＰ）に埋め込まれるだろう。Ｈ／２ＭＡＣフレーム以前のＣＰは、Ｈ／２ｅＡＰ若しくは協働するＰＣの何れかにより制御されるため、Ｈ／２協働ビーコン伝達の遅延が存在しないことを保証できる。結果として、Ｈ／２のＱｏＳはサポートされる。
【０００９】
結果となる時間のシークエンスは３つの部分に分割可能で、（１）制限されるサービスの質を伴う“８０２．１１ｅＣＦＰ”、（２）サービスの質の完全なサポートを伴う“ＨｉｐｅｒＬＡＮ／２ＭＡＣ”フレーム、及び（３）任意のサービスの質のサポートを伴わない８０２．１１ｅである。すべての３つの部分は、共になって、時間において周期的に繰り返される、いわゆるコーポレートスーパーフレームを形成する。
【００１０】
ＢＣＨが遅延されることを許容しない同一時間によってコンテンションフリーピリオド（ＣＦＰ）でのみ操作するＰＣのようなＨｉｐｅｒＬＡＮ／２（Ｈ／２）アクセスポイント（ＡＰ）を解釈し、ＡＰを増幅するＨ／２（Ｈ／２ｅＡＰ）概念を適用するかもしれない。Ｈ／２ｅＡＰは、
−ＰＣＦ若しくはＤＣＦでの他の８０２．１１ＢＳＳ操作と共存するために、
−Ｈ／２のモバイルターミナル（ＭＴ）及び８０２．１１ｅのステーション（ＳＴＡ）のコーポレートチャンネルアクセスにＡＰの一つの単一の型を可能にするために、
−８０２．１１ＰＣＦ、ＭＡＣフレームを中心的に制御するＨ／２、及び８０２．１１ＤＣＦである、アクセスの３つの異なる型を許容することによって、統合されたスタンダードに向かって８０２．１１ｅ及びＨ／２をシームレスに延在するために、
８０２．１１ｅによる数多の規則に従うべきである。
【００１１】
この概念は、二つの個々の標準の一つを使用しないために必要とせずに、しかし５ＧＨｚバンドのＷＬＡＮｓ及びＷＰＡＮｓにおける単一のグローバルスタンダードの候補となるかもしれない。Ｈ／２ｅＡＰは、（ａ）Ｈ／２による操作、（ｂ）８０２．１１（ＰＣＦ／ＤＣＦ）のモードに基づくインフラによる操作、同様に、（ｃ）８０２．１１（ＤＣＦ）の独立したＢＳＳの操作を可能にする。
【００１２】
Ｈ／２システムが同一周波数チャンネルを共有する８０２．１１システムを検出し、このように干渉の下にある場合、Ｈ／２ｅＡＰ（ＡＰを増幅させるＨｉｐｅｒＬＡＮ／２）は、増強された機能性を可能にするべきであり、下記に記載のように振舞う。しかしながら、ＤＦＳ（８０２．１１ＴＧｈのＤＣＳ）としての基本的な基本的な資源管理スキームはかかる相互干渉を回避するために著しく助ける。当該明細書にて議論されるシナリオにおいて、各ステーション及びターミナルは他のすべてのステーション／ターミナルの範囲内であり、隠されたステーションの問題を適用しないことが仮定される。
【００１３】
図１は、Ｈ／２ｅＡＰがＩＥＥＥ８０２．１１ｅに基づいた他のＢＳＳと共存するかもしれない（左図）；完全な共同利用が要求される場合、Ｈ／２ｅＡＰはポイントコーディネーションを受けるかもしれない、Ｈ／２ｅＡＰアプローチの二つの適用を示している。
【００１４】
Ｈ／２ｅＡＰ概念を説明する前に、Ｈ／２ｅＡＰ概念がＮＡＶに多大に依存するように、８０２．１１の数多のネットワークアロケーションベクトル（ＮＡＶ）が見られる。
【００１５】
８０２．１１において、ＢＳＳ自体ではなく、外部ＢＳＳのＰＣによるビーコンは、ＮＡＶがＣＦＰ（ビーコン内のＣｆｐＤｕｒ残存パラメーターによって示されるように）の残存期間における８０２．１１ＡＰを含有するすべての８０２．１１ＳＴＡｓによって伝達される手法で解釈される。ＮＡＶｓのセットのため、外部ＢＳＳの告知されたコンテンションフリーピリオドは解釈されないで、例えば、ＢＳＳ自体のＤＣＦの制御下で伝達されるデータフレームによって干渉される。ステーションがそれらのＮＡＶを伝達するために、ステーションは、画イブＢＳＳがそのＣＦＰを終了する、例えば、ＣＦＰの残存期間、ＣｆｐＤｕｒ残存が終了するまでフレーム交換を開始しない。一つの例外が考慮され、重なるＢＳＳ、ＰＣが利用可能な各々を考慮する場合、Ｐｃｓはお互いに聞くことができず、ＰＣ自身（隠れている）によって獲得されて、ステーションはａｃｋフレームをポールを受取ったことを示唆するために伝達するであろう。しかし、ステーションが前述のようにステーションのＮＡＶを伝達するため、ポールに対応する任意のデータを伝達しないであろう。厳密には、このａｃｋフレームは、重なっているＢＳＳの進行中のＰＣＦでのフレーム交換と衝突できる。この問題の可能な解決策は、８０２．１１ＴＧｅ［２］で議論されるような重なっているＮＡＶ（ＯＮＡＶ）の導入及び使用である。外部ＢＳＳの受取られたフレームに反応するこのＯＮＡＶの設定において、８０２．１１ステーションは、重なっているＢＳＳがそれ自体のＰＣＦの進行、例えば、ＯＮＡＶ◇０を有している間、ＰＣ自体によってポールと対応さえしないであろう。
【００１６】
このことを留めながら、Ｈ／２ｅＡＰの拡張された機能性は下記のように記載されることができる。
【００１７】
Ｈ／２ｅＡＰは、（複数の）２ｍｓへのＣｆｐＤｕｒ残存パラメーターの設定を伴って、Ｈ／２標的ビーコン伝達時間（Ｈ／２ＴＢＴＴ）においてコーポレートビーコンを伝達する。８０２．１１ａＢＳＳのステーションによるこのビーコンの受取りにおいて、このステーションはビーコンを外部ＢＳＳビーコンとして認識し、ＣｆｐＤｕｒ残存パラメーターを抽出及び評価し、このようにそれらのＯＮＡＶを適切な期間にセットする。このビーコンの伝達後、Ｈ／２ｅＡＰは、隣接の８０２．１１ａシステムからの干渉を受けないで及び開始のＨ／２コーポレートビーコンの遅延なしでＨ／２Ｍａｃフレームの伝達を開始することが可能である。
【００１８】
Ｈ／２Ｍａｃフレームは、ＣＦＰ直後の８０２．１１コンテンションピリオド（ＣＰ）に埋め込まれるであろう。
【００１９】
図２（図２は、Ｈ／２ｅＡＰの新規のフレーム構造を示している）に示されるように、結果となる時間のシークエンスは３つの部分に分割され、８０２．１１ｅＣＦＰ、Ｈ／２Ｍａｃフレーム、及び８０２．１１ｅＣＰである。すべての３つの部分は、時間内に周期的に繰り返される、いわゆるコーポレートスーパーフレームを形成する。
【００２０】
第一部分：８０２．１１ｅＣＦＰ
コーポレートスーパーフレームの第一部分は、８０２．１１ＣＦＰである。８０２．１１ＴＢＴＴにおいて、ＰＣによって伝達される８０２．１１ビーコンはこの期間を導入する。このＰＣはＨ／２ｅＡＰ自体であるかもしれないことを注意する。ビーコンが競合するＰＣによって伝達される場合、ＰＣ及びＨ／２ｅＡＰの両者は協働の平衡、例えば、ＰＣがコーポレートスーパーフレームをサポートする規則にしたがうことが仮定される。
【００２１】
いわゆる時間ギャップ制御機構（各ステーションは、ここでは８０２．１１ＴＢＴＴである時間の専用ポイント以前にフレーム交換手順において充分な残存時間があるかをチェックする）を可能とせずに、コースのこの開始のビーコンは遅延されるかもしれない。これは、８０２．１１ＴＢＴＴにおける過密なチャンネルの可能性のためである。ＣＦＰの最大期間は、ビーコンのＣＦＰ最大期間分野で示唆される。ＣＦＰの結果となる最大期間は、じかんにおける基準点として８０２．１１ＴＢＴＴを取り、及びＣＦＰの最大期間を加えて計算される。このように、ＣＦＰの開始におけるビーコンの遅延は、縮小されたコンテンションフリーピリオドで結果となる。若しくは、換言すると、ＣＦＰが終了する時点は固定され、遅延を受けない。遅延されたビーコンの最悪の場合が考慮される。例えば、ＴＢＴＴの考慮なしで若しくは時間ギャップ制御機構なしで、他の８０２．１１ＢＳＳが重なり、それらのステーションの一つがフレーム交換を導入するかもしれない場合である。この問題は隠されたステーションでのみ起こることを注意する。
【００２２】
ＰＣは、ＣＦＰで最後のフレームであり、及びＰＣを終了する放送ＣＦ＿エンドフレームを予定する。１９９９［２］のＩＥＥＥ８０２．１１スタンダードを参照するに、ＰＣはＣＦＰを早めに終了するかもしれない、例えば、ステーションを獲得するための十分な残存時間がない場合若しくは獲得リストにステーションが残されていない場合である。この場合において、ＰＣはＣＦ＿エンドフレームを伝達し、最大ＣＦＰ期間よりも早くＣＦＰを終了する。Ｈ／２ｅＡＰアプローチ内において、Ｈ／２ＭＡＣフレームを８０２．１１コンテンションピリオドに統合するために、ＰＣはＣＦＰをより早く終了しなければならない。さらに、ステーションを獲得し、そのデータを受取る十分な時間が存在しないことをＰＣが計算する場合、それは、ＣＦ＿エンドを予定する前の全く残りの時間である。さらにＰＣは既知のナルフレームを、重なり合うＢＳＳである他のものにおいて使用中としてチャンネルを示唆するために伝送する。ナルフレームに反応するように、獲得されたステーションはｃｆ＿ａｃｋフレームを伝送する。そうすることで、例えば、隠れたステーションである、ビーコンを受取らないステーションにより伝送される衝突フレームの可能性は、活性なＣＦＰが存在することを理解するｃｆ＿ａｃｋフレームを受取ることによるために、削減される。当該明細書では、互いの範囲中のすべてのステーションで１つの８０２．１１のＢＳＳが考慮されることをもう一度思い出してください。コーポレートスーパーフレームの第一部文の終了は明らかに定義され、遅延を受けない。
【００２３】
第二部分：Ｈ／２ＭＡＣフレーム
すべての８０２．１１ＳＴＡによってＣＦ＿エンドフレームを受取った後、ＮＡＶを再設定し、コンテンションピリオドを開始する。これは、８０２．１１スーパーフレームの第二部分と呼ばれる。ＤＣＦの制御を受けて、伝達するデータを有する場合、すべての８０２．１１ＳＴＡはチャンネルへのアクセスを得るために挑戦する。すべての８０２．１１ＳＴＡはＤＩＦＳの期間において休止しているようなチャンネルを感知することを目的とされ、そのような場合、すべての８０２．１１ＳＴＡはバックオフ手順を開始する。Ｈ／２ｅＡＰはまた、ＣＦ＿エンドフレームを受ける（それ自体によって伝送されない場合）。さらに、Ｈ／２ＴＢＴＴにおいて、例えばＰＩＦＳである、ＤＩＦＳよりもこのフレームを受取り、短いフレーム間空間（ＩＦＳ）の受待において、Ｈ／２ｅＡＰはＨ／２コーポレートビーコンを放送する。この時点が明らかに定義され、遅延を受けないことを注意する。コーポレートビーコンは８０２．１１ビーコンとしての同一フレーム構造を有する。Ｈ／２ｅＡＰは、２ｍｓに対する図２の実施例において、複数の２ｍｓに導入されたＣＦＰの残存期間を示唆する、ＣＦＰＤｕｒ残存値を設定する。短いＩＦＳの結果として、Ｈ／２ｅＡＰは８０２．１１ＳＴＡに対して優先しており、後者は、それらのバック−オフカウンターを凍結して、チャンネルへのアクセスから検索する使用中のチャンネルを感知する。Ｈ／２コーポレートビーコンは８０２．１１ＳＴＡｓ及び８０２．１１ＰＣ（もし一つがある場合）によって受取られ、外部ＢＳＳである近隣のビーコンとして解釈される。さらに、このビーコン内のＣＦＰＤｕｒ残存パラメーターがゼロと等しくないために、それらのＮＡＶ／ＯＮＡＶをこの値に設定する。この理由のために、外部ＢＳＳがそのＣＦＰを導入して、示唆されている残存期間においてランすることが信じられている。Ｈ／２ｅＡＰは、今ここで、２ｍｓの続くＨ／２ＭＡＣフレームの一つ以上を予定し、放送段階で開始し、一般的に、ランダムアクセス段階で終了する。すべての８０２．１１ステーション及び８０２．１１ＰＣはＮＡＶ／ＯＮＡＶを設定し、Ｈ／２ＭＡＣフレームの全期間において干渉を引き起こさない。前述に記載のように、ＯＮＡＶの原理を伴わずに、他の８０２．１１ＢＳＳステーションがそれらのＰＣによるポールに反応する場合に、衝突は発生するであろう。
【００２４】
第三部分：８０２．１１ｅＣＰ
一旦この残存期間が終了すると、すべての８０２．１１ＳＴＡは、それらのＮＡＶ／ＯＮＡＶを再設定し、ＤＣＦの規則に基づいた操作を続ける。これはコーポレートスーパーフレーム構造内の、第三で最後の部分である。可能となった時間ギャップ手順は、続くＣＦＰの開始である、次ぎのＴＢＴＴでのビーコン伝達遅延問題を除外するだろう。
【００２５】
二つのスタンダードの要求、拡張
ＰＣＦが可能になった８０２．１１システムは、コンテンションピリオドで最低限のＤＣＦ期間に加えてＨ／２ＭＡＣフレームの埋め込むために少なくとも必要な時間を費やす。この要求は、続く８０２．１１パラメーターの適切な設定の結果となる。
【００２６】
ＣＦピリオドは、ＣＦＰが開始する予定である２つの８０２．１１ＴＢＴＴ間の時間を表現する。実際に、開始のＣＦＰｓ間のＤＴＩＭ間隔の整数を示唆する。コムネット（ＣｏｍＮｅｔ）のＷＡＲＰ２シミュレーション環境内において、ＤＴＩＭ間隔はビーコン間隔と等しい。後者が二つのビーコン内の時間（ＴＵ内）を示唆するために、ビーコンが常にＣＦＰを導入する我々のシナリオ内において、ＣＦピリオドは二つの８０２．１１ＴＢＴＴｓ漢のＴＵにおけるじかんとして言及できる。
【００２７】
ＰＣＦにより生成されるＣＦＰの時間ユニット（ＴＵ）における最大時間を示唆するＣＦＰ最大期間。ステーションは、ＣＦＰを導入するビーコンのＴＢＴＴにおいてＮＡＶを設定するためにこの値を使用する。
【００２８】
さらに、８０２．１１ＳＴＡｓは、ＯＮＡＶ原理を含有する８０２．１１ｅにより実行するために要求され、任意のバースト（時間−ギャップ制御手順）を伝達する前に常にＴＢＴＴｓをチェックするべきである。ＰＣによって送られるＣＦ＿エンドバーストは、コーポレートスーパーフレームの第一部分の終了で厳密なタイミングをサポートするために必要とする。ＰＣは、ＰＣ自体のＣＦＰをＣＦＰ最大期間より早く終了するオプションを使用してはならない。
【００２９】
Ｈ／２ｅＡＰになるＨ／２ｅＡＰの機能性は、続く拡張に集中し、：８０２．１１システムを一旦検出すると、Ｈ／２ｅＡＰは８０２．１１ＰＣにより送られるＣＦ＿エンドフレームに聞かなければならない。
【００３０】
このフレームの受取り後及び、例えば、ＰＩＦＳであるＤＩＦＳよりも短い時間での受待後に、コーポレートビーコンはＨ／２ｅＡＰにより送られる。このコーポレートビーコン内において、パラメーターＣＦＰＤｕｒ残存は、例えば、２ｍｓ若しくはこの値の複数である、適切な値に設定される。ここより後に、一つ（若しくは、ＣＦＰＤｕｒ残存パラメーターが２ｍｓの複数の設定される場合、一つ以上）のＨ／２ＭＡＣフレームは、任意の遅延若しくは干渉なしで伝達される。
【００３１】
ＣＦＰＤｕｒ残存の終了によって示唆される時間後に、Ｈ／２ｅＡＰは不在のモードに切り替えられるべきである。この時点は、伝達された第一のＨ／２ＭＡＣフレーム内のＨ／２ＡｐによってＨ／２ＭＴｓに告知される。
【００３２】
不在モードの時間のＨ／２ｅＡＰは、例えば、ｎ＝１，２，３，…のｎ　ｍｓである、コーポレートスーパーフレームによるＨ／２ＭＡＣフレームの複数の期間であり、システムは、同じ近辺で作用し、どう位置の周波数チャンネルでの提携システムを検出する。さらに、外部システムを検出するだけでなく、外部検出を８０２．１１システムとして認識するべきである。一般的に、すべてのバースト及びこのシーケンスが両方のシステム、Ｈ／２及び８０２．１１に独創的である前に、同調序文が送られる。最小の感度閾値の上のパワーレベルでこの序文を検知する、共有される環境中のこの周波数通路上のすべての装置は、相関計によってこのシーケンス上で同調しようとする。同調の試みが成功する場合、バーストはシステム自体からであることが仮定され、したがって評価される。これを基本として、Ｈ／２ｅＡＰにとってＨ／２バーストに衝突するだけでなく、適用可能な８０２．１１バーストとして外部バーストを検出する必要がある。
【００３３】
二つのＨ／２ＴＢＴＴ間の期間が明らかに定義されることを認識することは重要である。Ｈ／２コーポレートビーコン伝達の遅延が存在しないことが保証できる。結果として、Ｈ／２のＱｏＳはサポートできる。Ｈ／２ＭＡＣフレームは、８０２．１１コンテンションピリオドのすべてのＨ／２ＴＢＴＴ反復間隔（Ｈ／２ＴＢＴＴ　ＲＩ）に埋め込まれる。Ｈ／２ＴＢＴＴ　ＲＩは、２つのＨ／２ＴＢＴＴ間の期間の相互の値として計算される。他のＨ／２システムでの同一周波数チャンネルでの共存はサポートできない。他の８０２．１１ａシステムとの共存は、完全にサポートされる。
【００３４】
Ｈ／２ｅＡＰのスペクトル効率は現在の調査の対象であり、制限のあるＤＣＦピリオドで８０２．１１ｅによる厳密な操作は高値であるかもしれない。Ｈ／２ｅＡＰ及びＨ／２Ｍｔｓ間の同調を開放しないためにＣＰ及びＣＦＰ中に送られる周期的なコーポレートビーコンは、さらに処理能力効率を縮小するだろう。８０２．１１ＴＧｅに進行中の議論のように、隠されたステーションはさらに試験を必要とする。
【００３５】
参照文献：
［１］Ｇ．Ｃｅｒｖｅｌｌｏ及びＳ．Ｃｈｏｉ，“Ｃｏｌｌｉｓｉｏｎ　Ａｖｏｉｄａｎｃｅ　ｆｏｒ　Ｏｖｅｒｌａｐｐｉｎｇ　ＢＳＳｓ　ｉｎ　８０２．１１”，ＩＥＥＥｄｏｃ　８０２．１１−００／１９４
［２］ＩＥＥＥ，“参照番号ＩＳＯ／ＩＥＣ８８０２−１１：１９９９（Ｅ）ＩＥＥＥ　Ｓｔｄ　８０２．１１，１９９９版。Ｉｎｔｅｒｎａｔｉｏｎａｌ　Ｔｅｃｈｎｏｌｏｇｙ−Ｔｅｌｅｃｏｍｍｕｎｉｃａｔｉｏｎｓ　ａｎｄ　Ｉｎｆｏｒｍａｔｉｏｎ　ｅｘｃｈａｎｇｅ　ｂｅｔｗｅｅｎ　ｓｙｓｔｅｍｓ−Ｌｏｃａｌ　ａｎｄ　ｍｅｔｒｏｐｏｌｉｔａｎ　ａｒｅａ　ｎｅｔｗｏｒｋｓ−Ｓｐｅｃｉｆｉｃ　Ｒｅｑｕｉｒｅｍｅｎｔｓ−Ｐａｒｔ　１１：Ｗｉｒｅｌｅｓｓ　ＬＡＮ　Ｍｅｄｉｕｍ　Ａｃｃｅｓｓ　Ｃｏｎｔｒｏｌ（ＭＡＣ）　ａｎｄ　Ｐｈｙｓｉｃａｌ　Ｌａｙｅｒ（ＰＨＹ）　Ｓｐｅｃｉｆｉｃａｔｉｏｎｓ”，１９９９．
使用された略語：
ＡＰ　アクセスポイント
ＢＣＨ　放送チャンネル
ＢＲＡＮ　ブロードバンドラジオアクセスネットワーク
ＢＳＳ　基本サービスセット
ＣＦＰ　コンテンションフリーピリオド
ＣＰ　コンテンションピリオド
ＤＣＦ　分配されたコーディネーション機能
ＤＣＳ　ダイナミックなチャンネルの選択
ＤＦＳ　ダイナミックな周波数の選択
ＤＩＦＳ　分配されたコーディネーション機能のフレーム間空間
ＤＬＣ　データリンクコントロール
ＥＴＳＩ　欧州テレコミュニケーション基準研究所
Ｈ／２　ＨｉｐｅｒＬＡＮ／２
ＨｉｐｅｒＬＡＮ　高性能ローカルエリアネットワーク
ＩＥＥＥ　電気及び電子技術者の研究所
ＭＡＣ　ミディアムアクセスコントロール
ＭＴ　モバイルターミナル
ＮＡＶ　ネットワークアロケーションベクトル
ＰＣ　ポイントコーディネーター
ＰＣＦ　ポイントコーディネーション機能
ＱｏＳ　サービスの質
ＳＩＦＳ　短いフレーム間の間隔
ＳＴＡ　ステーション
ＴＢＴＴ　標的ビーコン伝達時間
【図面の簡単な説明】
【図１】
Ｈ／２ｅＡＰがＩＥＥＥ８０２．１１ｅに基づいた他のＢＳＳと共存するかもしれない（左図）；完全な共同利用が要求される場合、Ｈ／２ｅＡＰはポイントコーディネーションを受けるかもしれない、Ｈ／２ｅＡＰアプローチの二つの適用を示している。
【図２】
Ｈ／２ｅＡＰの新規のフレーム構造を示している。
【図１】
2004514382.tif 000003
【図２】
2004514382.tif 000004
【国際公開パンフレット】
2004514382.tif 000005
2004514382.tif 000006
2004514382.tif 000007
2004514382.tif 000008
2004514382.tif 000009
2004514382.tif 000010
2004514382.tif 000011
2004514382.tif 000012
2004514382.tif 000013
2004514382.tif 000014
2004514382.tif 000015
2004514382.tif 000016
2004514382.tif 000017
2004514382.tif 000018
【国際公開パンフレット（コレクトバージョン）】
2004514382.tif 000019
【国際調査報告】
2004514382.tif 000020
2004514382.tif 000021
2004514382.tif 000022